(57)【要約】【課題】  外部装置が要求した撮影情報と、実際に放射線撮影した際に用いた撮影情報とが一致することが必要なシステムであっても、要求された撮影情報を編集して撮影することが可能となり、撮影フローを改善させることをも可能にする。【解決手段】  放射線撮影部で被検体を撮影する放射線撮影装置であって、撮影条件に関する検査情報を送信する外部装置と通信する通信部と、該通信部を介して外部装置から受信した検査情報を編集するための編集部と、未編集の検査情報を記憶する記憶部と、編集部による編集後の検査情報に従い放射線撮影部で撮影処理を実行し、編集後の検査情報の外部装置への送信に係る通信処理が失敗した場合に記憶部に記憶した未編集の検査情報を外部装置に送信する制御部とを有する。【選択図】  図３
2016116777.tif 000002
【特許請求の範囲】
【請求項１】
放射線撮影手段で被検体を撮影する放射線撮影装置であって、
撮影条件に関する検査情報を送信する外部装置と通信する通信手段と、
該通信手段を介して前記外部装置から受信した前記検査情報を編集するための編集手段と、
未編集の前記検査情報を記憶する記憶手段と、
前記編集手段による編集後の検査情報に従い前記放射線撮影手段で撮影処理を実行し、前記編集後の検査情報の前記外部装置への送信に係る通信処理が失敗した場合に前記記憶手段に記憶した未編集の検査情報を前記外部装置に送信する制御手段と
を有することを特徴とする放射線撮影装置。
【請求項２】
前記記憶手段は、前記検査情報に対して前記編集手段による編集内容を示す履歴情報を更に記憶することを特徴とする請求項１に記載の放射線撮影装置。
【請求項３】
前記履歴情報を、前記外部装置に送信する手段を更に有することを特徴とする請求項２に記載の放射線撮影装置。
【請求項４】
放射線撮影手段で被検体を撮影する放射線撮影装置であって、
撮影条件に関する検査情報を送信する外部装置と通信する通信手段と、
該通信手段を介して前記外部装置から受信した前記検査情報を編集するための編集手段と、
該編集手段によって前記検査情報が編集された場合、編集後の検査情報を前記外部装置に要求し、受信することで前記検査情報を更新する更新手段と、
前記編集手段による編集後の検査情報に従い前記放射線撮影手段で撮影処理を実行し、前記更新手段によって更新された検査情報を前記外部装置へ送信する制御手段と
を有することを特徴とする放射線撮影装置。
【請求項５】
前記通信手段は、少なくともＲＩＳ、ＰＡＣＳのいずれかと通信することを特徴とする請求項１乃至４のいずれか１項に記載の放射線撮影装置。
【請求項６】
放射線撮影手段で被検体を撮影する放射線撮影装置の制御方法であって、
通信手段を介して、所定の外部装置から撮影条件に関する検査情報を受信する工程と、
受信した前記検査情報を編集するための編集工程と、
未編集の前記検査情報を記憶手段に格納する工程と、
前記編集工程による編集後の検査情報に従い前記放射線撮影手段で撮影処理を実行し、前記編集後の検査情報の前記外部装置への送信に係る通信処理が失敗した場合に前記記憶手段に記憶した未編集の検査情報を前記外部装置に送信する制御工程と
を有することを特徴とする放射線撮影装置の制御方法。
【請求項７】
放射線撮影手段で被検体を撮影する放射線撮影装置の制御方法であって、
通信手段を介して、所定の外部装置から撮影条件に関する検査情報を受信する工程と、
受信した前記検査情報が編集する編集工程と、
編集後の検査情報を前記外部装置に要求し、受信することで前記検査情報を更新する更新工程と、
前記編集工程による編集後の検査情報に従い前記放射線撮影手段で撮影処理を実行し、前記更新工程によって更新された検査情報を前記外部装置へ送信する制御工程と
を有することを特徴とする放射線撮影装置の制御方法。
【請求項８】
請求項６又は７に記載の放射線撮影装置の制御方法に記載の各工程をコンピュータに実行させるためのプログラム。
【発明の詳細な説明】
【技術分野】
【０００１】
本発明は、放射線撮影装置及びその制御方法に関するものである。
【背景技術】
【０００２】
近年の病院では、病院内の各部門間でＨＩＳ（Hospital Information System）と呼ばれる病院情報システムを構築していることが多い。また、病院内の各部門内においても、例えば放射線部門ではＲＩＳ（Radiology Information System）等の各部門に合わせた情報システムを構築した上で、部門間での情報伝達のオンライン化を進めている。このような情報システムにおいては、検査結果をサーバ内の患者データベースに記録し、端末機器を用いて検索し参照するだけでなく、医師による検査依頼情報を検査オーダーとして依頼先の別の部門に伝達することも可能となっている。
【０００３】
図１は病院内のネットワークの一例であり、ここでは、各部門間の情報システムであるＨＩＳ１００１と、ＲＩＳ１００５との接続例を示している。ＨＩＳ１０００内には、サーバ１００２、外科部門１００３、整形外科部門１００４等が設けられており、各部門内にはＨＩＳ端末１００３a、１００４aが設けられている。なお、これら以外の部門として、会計部門、薬剤部門、診察部門（内科部門、外科部門、整形外科部門）等がある。
【０００４】
また、放射線部門内の情報システムであるＲＩＳ１００５内には、画像サーバ１００６、ゲートウェイ１００７が設けられており、ゲートウェイ１００７を介してＨＩＳ１００１とＲＩＳ１００５が接続されている。ＲＩＳ１００５内には、ＲＩＳ端末１００８aを有する放射線部門１００８が設けられており、検査システム１００９a、１０１０aをそれぞれ有する撮影室１００９、１０１０が設けられている。
【０００５】
例えば、外科部門１００３や整形外科部門１００４、撮影室１００９の検査システム１００９aをＸ線撮影システムとした場合において、検査に際して外来患者である被検者Ｈは外来受付を終了すると、外科部門１００３や整形外科部門１００４において診断が行われる。その際に、必要に応じて複数の部門において診断が行われることもある。
【０００６】
外科部門１００３の医者によって、例えば胸部正面のＸ線撮影が必要と判断されると、外科外来１００３の医者はＨＩＳ端末１００３aを介して検査の指示を入力し、依頼先である放射線部門１００８のＲＩＳ端末１００８ａに伝達する。
【０００７】
なお、医師の指示するこの依頼情報を検査オーダーと称し、この検査オーダーには依頼元の部門名や、Ｘ線撮影であれば「撮影部位：胸部正面」等の検査項目、また患者の個人データ等が含まれている。
【０００８】
放射線部門１００８のＲＩＳ端末１００８ａは、この検査オーダを受信する。そして、技師は、ＲＩＳ端末１００８ａを操作して、胸部正面立位のように姿勢等の撮影条件等を付加し、放射線検査情報として適切な検査システム１００９a又は１０１０aに転送する。Ｘ線検査システム１００９a又は１０１０aにおいては、受信した放射線検査情報を基に撮影プロトコルを展開して検査登録して検査を開始する。
【０００９】
検査が開始されると、技師はＸ線検査システム１００９a、１０１０aで放射線検査情報によって展開された撮影プロトコルに基づいて患者のポジショニング、Ｘ線発生条件などを確認した後、Ｘ線撮影を行う（特許文献１）。
【００１０】
そして、技師が撮影プロトコルにおいて指示された撮影部位の撮影を行い、全撮影終了後に被検者Ｈの検査を終了し、撮影画像を画像サーバ１００６に保存すると共に、ネットワーク上のプリンタ等による出力や、依頼元の端末に送信する。
【００１１】
近年、このように画像管理システムや放射線情報システムが急速に普及し、Ｘ線診断装置等の様々な機器とネットワーク接続されている。更に、それぞれの機器の間では、検査リストや撮影画像の送受信や、検査の進捗情報等のやりとりが行われている。
【００１２】
しかし、検査開始時に放射線検査情報によって展開された撮影プロトコルは、実際に撮影する際に技師の判断により別の撮影プロトコルに置き換えられる場合がある。例えば、患者が車椅子を使っている場合、立位では撮影できない。このため、技師はＸ線検査システム１００９a又は１０１０ａを操作して、座位の撮影プロトコルに置き変えるようなことが行われる。また、放射線検査情報自体が誤っており、同一部位で左右を入れ替えるケースや照射方向を入れ替えるケースなどもある。
【００１３】
従来、撮影プロトコルの置き換えを簡単に行えるようにするために、あるプロトコルに対して置換候補となるプロトコルをあらかじめ登録しておき、表示された置換候補プロトコルを選択することによって、プロトコルの置き換えを行っていた（特許文献２）。
【先行技術文献】
【特許文献】
【００１４】
【特許文献１】特許第３６７９６４７号
【特許文献２】特開２０１１−５０５１８号公報
【発明の概要】
【発明が解決しようとする課題】
【００１５】
ＲＩＳ１００５の設定によっては、検査開始直前の撮影オーダーと、検査終了時の放射線検査情報が一致している必要がある場合がある。そのようなＲＩＳ１００５に対しては、特許文献２のようなＸ線撮影システムで撮影プロトコルを置換する事で放射線検査情報を変更して全撮影終了後の検査終了時に依頼元の端末（ＲＩＳ１００５の端末１００８ａ）に放射線検査情報を通知した場合に、通信エラーが発生してしまう。つまり、Ｘ線検査システム１００９a又は１０１０ａは、検査終了を正常にＲＩＳ１００５の端末１００８ａに通知する事ができない。このような環境では、Ｘ線撮影システム（１００９a又は１０１０ａ）側で撮影プロトコル置換するのではなく、ＲＩＳ１００５の端末１００８ａ側で撮影条件を変更して再びＸ線撮影システム１００９a又は１０１０ａへ放射線検査情報を通知する必要がある。これでは、撮影プロトコルを変更するために毎回ＲＩＳ１００５の端末１００８ａから放射線検査情報を再通知を実施する必要があり撮影フローとして非常に手間であった。
【課題を解決するための手段】
【００１６】
この課題を解決するため、例えば本発明の放射線撮影装置は以下の構成を備える。すなわち、
放射線撮影手段で被検体を撮影する放射線撮影装置であって、
撮影条件に関する検査情報を送信する外部装置と通信する通信手段と、
該通信手段を介して前記外部装置から受信した前記検査情報を編集するための編集手段と、
未編集の前記検査情報を記憶する記憶手段と、
前記編集手段による編集後の検査情報に従い前記放射線撮影手段で撮影処理を実行し、前記編集後の検査情報の前記外部装置への送信に係る通信処理が失敗した場合に前記記憶手段に記憶した未編集の検査情報を前記外部装置に送信する制御手段とを有する。
【発明の効果】
【００１７】
本発明によれば、外部装置が要求した撮影情報と、放射線撮影した際に利用した撮影情報とが一致することが必要なシステムであっても、要求された撮影情報を編集して撮影することが可能となり、撮影フローを改善させることも可能になる。
【図面の簡単な説明】
【００１８】
【図１】病院内のネットワーク構成図。
【図２】放射線撮影システム全体のブロック図。
【図３】第１の実施形態に係る制御部のブロック図。
【図４】第１の実施形態に係るフローチャート。
【図５】第３の実施形態に係る制御部のブロック図。
【図６】第４の実施形態に係る制御部のブロック図。
【図７】第４の実施形態に係るフローチャート。
【図８】第１の実施形態におけるシステム全体の処理フローを示す図。
【発明を実施するための形態】
【００１９】
以下、添付図面に従って本発明に係る実施形態を詳細に説明する。なお、以下に示す実施形態では、放射線としてＸ線を適用した場合を例に挙げて説明するが、本明細書において放射線はＸ線に限られるものではなく、α線、β線、γ線、粒子線なども、放射線に含まれるものとする。
【００２０】
［第１の実施形態］
まず、図２を用いて実施形態における放射線システムの構成を説明する。図２は、放射線システム全体のブロック図である。放射線システムは、放射線撮影システム２５００と、放射線撮影システム２５００の外部あるＲＩＳ（Radiology Information System）２００９、並びに、ＰＡＣＳ（Picture Archiving and Communication System）２０１０で構成される。
【００２１】
そして、放射線撮影システム２５００は、放射線撮像装置２００８、撮影制御装置２０００、放射線制御装置２００６、放射線源２００７、操作部２００４及び表示部２００５を含む。
【００２２】
放射線撮像装置２００８は、放射線源２００７から曝射されて被検体Ｈを透過した放射線に基づいて放射線撮影画像を取得するためのものである。放射線撮像装置２００８としては、周知のフラットパネル型のＸ線検出器（Flat Panel Detector：FPD）が好適に用いられ得る。放射線制御装置２００６は、放射線源２００７による放射線の曝射の制御を行うものである。撮影制御装置２０００は、後述する操作部２００４の入力指示に基づいて、放射線撮像装置２００８、放射線制御装置２００６の制御を行うものである。
【００２３】
また、操作部２００４は、操作者（撮影技師や医師）からの入力に応じて放射線撮影システムにおける処理の操作を行うための操作情報を撮影制御装置２０００へ供給し得る。表示部２００５は、放射線撮像装置２０００によって取得された放射線撮影画像等の画像を操作者へ表示し得る出力手段であり、例えば液晶ディスプレイ等で実現される。
【００２４】
また、表示部２００５は、ＲＩＳ２００９より取得した放射線検査情報を操作者へ向けて表示する。すなわち、表示部２００５は、放射線撮影のコントロールソフトウェアのグラフィカルユーザインタフェース（GUI）を表示し得る。ここで、操作部２００４は、表示部２００５に表示されたグラフィカルユーザインタフェースを、マウスやキーボード等の入力機器の操作する事により、操作情報を撮影制御装置２０００へ提供し得る。なお、操作部２００４及び表示部２００５は、それらが一体となったタッチパネル等で実現されてもよい。
【００２５】
撮影制御装置２０００は、入出力部２００２と、制御部２００１と、を含み得る。入出力部２００２は、放射線撮像装置２００８からの放射線画像の入力や、放射線制御装置２００６への制御信号の出力、放射線検査情報を取得先であるＲＩＳ２００９、および撮影画像を保存、表示するためのＰＡＣＳ２０１０との入出力を担うものである。制御部２００１は、操作部２００４からの操作情報に基づいて、各種制御のための制御信号を、入出力部２００２を介して、放射線撮像装置２００８、及び、放射線制御装置２００６へ出力し得るものである。なお、制御部２００１は、ＣＰＵ、ブートプログラム等を記憶しているＲＯＭ、実行時にプログラムを格納したりワークエリアとして使用されるＲＡＭ、ＯＳや各種プログラムやデータを格納する所定の記憶装置（ＨＤＤ等）で構成される。
【００２６】
次に、図３を参照して制御部２００１の構成とその処理内容を説明する。以下では、ＲＩＳ２００９（のサーバや端末）、ＰＡＳ２０１０（のサーバや端末）との関係で、制御部２００１を説明するので、放射線撮像装置２００８、及び、放射線制御装置２００６については図３には示していない。また、以下に説明する制御部２００１を構成する各処理部は、制御部２００１におけるＣＰＵが、プログラムグラムを実行することで実現するものとするが、その一部はハードウェアで実現しても構わない。
【００２７】
制御部２００１は、入力検出部３００６と、記憶部３００３と、撮影制御部３０００と、撮影プロトコル展開部３００１と、撮影プロトコル置換部３００５と、表示制御部３００２と、通信失敗検知部３００７とを含み得る。入力検出部３００６は、操作部２００４から入力された操作情報を撮影制御部３０００に供給する。記憶部３００３は、ＲＩＳ２００９から入出力部２００２を介して取得した放射線検査情報を記憶する記憶領域３００４を含む。通信失敗検知部３００７は、入出力部２００２を介してＲＩＳ２００９およびＰＡＣＳ２０１０へ放射線検査情報を通信した際に検査開始時と検査終了時の放射線検査情報の不一致による通信失敗を検知し得るものである。
【００２８】
撮影制御部３０００は、ＲＩＳ２００９から入出力部２００２を介して取得した放射線検査情報に基づいて撮影プロトコルを展開するように、撮影プロトコル展開部３００１に指示し得る。そして、撮影制御部３０００は、展開した撮影プロトコルを表示部１００５に表示させるように、表示制御部３００２に指示し得る。また、撮影制御部３０００は、入力検出部３００６から撮影プロトコルを置換する操作を検出した場合は、撮影プロトコル置換部３００５にて撮影プロトコルを置換して放射線検査情報を変更（編集）するように指示し得る。また、撮影プロトコル置換部３００５で撮影プロトコルを置換した場合に、記憶部３００３の記憶領域３００４に、撮影プロトコル置換前のＲＩＳ２００９から取得した放射線検査情報を記憶保持するように指示し得る。
【００２９】
また、撮影制御部３０００は、撮影プロトコル置換部３００５で変更した放射線検査情報に基づいてＸ線撮影処理を実施し、ＲＩＳ２００９およびＰＡＣＳ２０１０へ実施した放射線検査情報を通信するために入出力部２００２に供給する。入出力部２００２は、供給された情報に基づいて、ＲＩＳ２００９およびＰＡＣＳ２０１０に放射線検査情報を通知（送信）する。そして、撮影制御部３０００は、通信失敗検知部３００７で検査開始時と検査終了時の放射線検査情報の不一致による通信処理の失敗を検知した場合は、記憶領域３００４で記憶していた撮影プロトコル置換前の放射線検査情報で再度通信するために入出力部２００２に供給する。入出力部２００２は、供給された情報に基づいて、通信失敗した端末に再度通知を実施する。
【００３０】
次に図４を用いて本実施形態における制御部２００１における処理フローを説明する。  
まず、ＲＩＳ２００９と接続された状態でシーケンスが開始されると（Ｓ４００１）、ＲＩＳ２００９より入出力部２００２を介して放射線検査情報を取得する（Ｓ４００２）。そして、取得した放射線検査情報に基づいて撮影プロトコル展開部３００１で撮影プロトコルを展開し、表示部２００５に展開した撮影プロトコルを表示する（Ｓ４００３）。
【００３１】
そして、操作者（技師）は表示部２００５に表示された撮影プロトコルとは異なる撮影条件でＸ線撮影を実施する場合には、操作部２００４で撮影プロトコルを置き変えるよう操作する（Ｓ４００４）。Ｓ４００４では、操作部２００４から入力された撮影プロトコルの置き変え操作情報は入力検知部３００６で検知し、撮影制御部３０００に供給され、撮影制御部３０００が撮影プロトコル置換部３００５に撮影プロトコルの置き変えを実施するように指示する。その際に、撮影制御部３０００は撮影プロトコルを置き変える前のＲＩＳ２００９から受信した放射線検査情報を記憶領域３００４に保持するように指示する。
【００３２】
Ｓ４００５は、図示しないＸ線照射スイッチを押すことにより置き変えた撮影プロトコルに従い、制御部２００１は、放射線制御装置２００６、放射線撮像装置２００８を制御し、Ｘ線撮影を実施するよう制御する。そして、撮影実施後に操作部２００４で検査終了を操作を実施する（Ｓ４００６）。検査終了操作を実施した場合に撮影制御部３０００は、入出力部２００２からＲＩＳ２００９およびＰＡＣＳ２０１０に対し撮影プロトコル置換後の放射線検査情報を通知し（Ｓ４００７）、Ｓ４００８に移行する。Ｓ４００８では、通信失敗検知部３００７で検査開始時と検査終了時の放射線検査情報の不一致による通信失敗を検知しなかった場合（NO）、撮影制御部３０００は通信完了と判断して撮影フローを終了する（Ｓ４０１０）。その際に、記憶領域３００４に保持していた放射線検査情報は削除させる。また、検査開始時と検査終了時の放射線検査情報の不一致による通信失敗を検知した場合（YES）、撮影制御部３０００は、撮影プロトコルを置き換え前のＲＩＳ２００９から受信した放射線検査情報を、記憶領域３００４から取得して、入出力部２００２を介して取得した放射線検査情報で通信失敗した端末に対して再度通知を実施する（Ｓ４００９）。
【００３３】
以上のように本実施形態によれば、Ｘ線撮影システムにて、ＲＩＳからの要求された放射線検査情報を変更してＸ線撮影を行ったとしても、最終的には、撮影終了をＲＩＳ２００９やＰＡＣＳ２０１０に通知するこが可能になる。この結果、少なくとも一連の処理が遂行されたものとして管理することが可能となる。
【００３４】
次に図８を用いて本実施形態における放射線撮影システム２００５、ＲＩＳ２００９，ＰＡＣＳ２０１０間の処理フローを具体例を説明する。
【００３５】
まず、ＲＩＳ２００９より入出力部２００２を介して放射線検査情報を取得する。ここでの放射線検査情報として胸部正面[11111]というCodeValue値を取得する（Ｓ８００１）。そして、取得した胸部正面[11111]というCodeValue値に基づいて撮影プロトコル展開部３００１で撮影プロトコルを展開する。本放射線撮影システムでは、胸部正面のデフォルト姿勢が立位であれば、胸部正面立位の撮影プロトコルを展開し、表示部２００５に展開した撮影プロトコルを表示する。
【００３６】
ただし、操作者（技師）は表示部２００５に表示された撮影プロトコルとは異なる撮影条件でＸ線撮影を実施する場合には、操作部２００４で撮影プロトコルを置き変えるよう操作する。ここでは、実施すべき撮影が胸部ではなく腹部であるため、操作者（技師）は、胸部正面立位[11111]から腹部正面立位[22222]の撮影プロトコルへ置き変える（Ｓ８００２）。
【００３７】
ここで、図示しないＸ線照射スイッチを押すことにより置き変えた撮影プロトコルに従い、Ｘ線撮影を実施する。そして、撮影実施後に操作部２００４で検査終了を操作を実施する。検査終了操作を実施した場合に撮影制御部３０００は、入出力部２００２からＲＩＳ２００９およびＰＡＣＳ２０１０に対し撮影プロトコル置換後の腹部正面立位[22222]というCodeValue値の放射線検査情報を通知する（Ｓ８００３）。
【００３８】
しかし、ＲＩＳ２００９側で検査開始時の放射線検査情報が胸部正面[11111]のCodeValue値であるのに対し、検査終了時の放射線検査情報が腹部正面立位[22222]のCodeValue値となっているため放射線検査情報の不一致による通信失敗を検知する（Ｓ８００４）。この結果、放射線撮影システム２００５は、撮影プロトコルを置き換え前のＲＩＳ２００９から受信した胸部正面[11111]の放射線検査情報を、記憶領域３００４から取得して、通信失敗したＲＩＳ２００９に対して再度通知を実施する（Ｓ８００５）。
【００３９】
［第２の実施形態］
第２の実施形態を説明する。制御部２００１の構成は、上記第１の実施形態で示した図３と同じである。
【００４０】
上記第１の実施形態では、撮影制御部３０００が、撮影プロトコルを置き換え前のＲＩＳ２００９から受信した放射線検査情報を、待避してた記憶領域３００４から取得し、入出力部２００２を介して、通信失敗した端末に対して再度通知を実施した。この再通知する際、放射線検査情報を変更した旨を示す情報を、放射線検査情報と共にＲＩＳ２００９に通知しても良い。
【００４１】
［第３の実施形態］
次に、図５を用いて、第３の実施形態を説明する。図５は第３の実施形態における制御部２００１の機能ブロック図である。図３に示した第１の実施形態の制御部２００１と同じ要素については同一参照符号を付し、その説明は省略する。図５と図３の相違は、第３の実施形態における記憶部３００３には、第１の記憶領域３００８、第２の記憶領域３００９の２つが確保されている点である。
【００４２】
ここで、第１の記憶領域３００８は、図３における記憶領域３００４と同じであり、ＲＩＳ２００９から受信した変更前、すなわち、未編集の放射線検査情報を記憶保持するための領域である。また、第２の記憶領域３００９は、ＲＩＳ２００９から受信した放射線検査情報を変更したことに起因する通信失敗で再通知した場合（Ｓ４００９）の、その変更履歴（または編集履歴、編集内容）を示す情報を複数個記憶するものである。
【００４３】
撮影制御部３０００は、操作部２００４から指示があった場合、第２の記憶領域３００９に記憶された変更履歴情報に基づいて表示制御部３００２に対し、どの放射線検査情報において、Ｓ４００９のフローを実施したかどうか（どの項目に、どのように変更したか）を操作者が把握できるように表示部２００５に表示するよう指示する。
【００４４】
［第４の実施形態］
次に、図６を用いて、第４の実施形態に係る制御部２００１を説明する。なお、図３で示す第１の実施形態の制御部２００１と同じ要素には同じ番号を付与し、詳細な説明は省略する。以下に、図３で説明した第１の実施形態との相違点について、図６を用いて説明する。
【００４５】
図６に示す第４の実施形態では、図３で説明した第１の実施形態に比べて、記憶部３００３と、通信失敗検知部３００７を備えずに、通信制御部３０１０を備える点で相違する。
【００４６】
本第４の実施形態では、撮影プロトコル置換部３００５で撮影プロトコルを置換して放射線検査情報を変更したことを受けて（まだ検査は実施されていない）、通信制御部３０１０はそのタイミングで入出力部２００２を介してＲＩＳ２００９に、変更した放射線検査情報を通知し、変更後の放射線検査情報をＲＩＳ２００９から再び取得しなおすように通信制御する。つまり、本第４の実施形態では、放射線検査情報が編集されると、その都度、その編集後の放射線検査情報を要求することで、放射線検査情報を最新の状態に更新する。
【００４７】
次に図７を用いて本第４の実施形態に係る撮影制御部３０００の処理フローを説明する。まず、ＲＩＳ２００９と接続された状態でシーケンスが開始されると（Ｓ７００１）、撮影制御部３０００はＲＩＳ２００９より放射線検査情報を取得する（Ｓ７００２）。そして、撮影制御部３０００は、取得した放射線検査情報に基づいて撮影プロトコル展開部３００１で撮影プロトコルを展開し、表示部２００５に展開した撮影プロトコルを表示する（Ｓ７００３）。
【００４８】
操作者は表示部２００５に表示された撮影プロトコルとは異なる撮影条件でＸ線撮影を実施する場合に操作部２００４で撮影プロトコルを置き変えるよう操作する。入力検知部３００６は操作部２００４から入力された撮影プロトコルの置き変え操作情報を検知した場合に、変更があった旨と変更があった項目を示す情報を撮影制御部３０００に供給する。これを受け、撮影制御部３０００は、撮影プロトコル置換部３００５に撮影プロトコルの置き変えを実施するように指示する（Ｓ７００４）。
【００４９】
そして、撮影制御部３０００は、通信制御部３００９に対して、撮影プロトコル置き変えた事により放射線検査情報が変更された旨をＲＩＳ２００９に通知させ、変更後（編集後）の放射線検査情報をＲＩＳ２００９から再び取得しなおすように制御する。その際に、撮影制御部３０００はＲＩＳ２００９から変更後の放射線検査情報を取得し直すまでは、ユーザにＲＩＳ２００９との通信中である事を意識させないように表示制御部３００２で表示部２００５を制御する。
【００５０】
例えば、ＲＩＳ２００９から放射線検査情報を再取得する際に撮影画面から遷移するような装置では、撮影画面から遷移しないように制御する。これにより、ユーザに通信中である事を意識させないようにする事が可能である。ただし、ユーザに通信中である事を意識させないようするための表示制御の方法はこれに限らない。
【００５１】
そして、取得した放射線検査情報に基づいて撮影プロトコル展開部３００１で撮影プロトコルを展開し、表示部２００５に展開した撮影プロトコルを編集可能に表示する（Ｓ７００６）。
【００５２】
Ｓ７００７にて、撮影制御部３０００は、操作部２００４の図示しないＸ線照射スイッチを押すことにより、置き変えた撮影プロトコルに基づき、放射線制御装置２００６、放射線撮像装置２００８を制御し、Ｘ線撮影を行う。そして、撮影制御部３０００は、撮影後に操作部２００４から検査終了を操作があったことを受け（Ｓ７００８）、入出力部２００２からＲＩＳ２００９およびＰＡＣＳ２０１０に対し、撮影プロトコル置換後の最新の放射線検査情報を通知する（Ｓ７００９）。そして、本処理を終える（Ｓ７０１０）。
【００５３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５４】
２０００…撮影制御装置、２００１…制御部、２００２…入出力部、２００４…操作部、２００５…表示部、２００６…放射線制御装置、２００７…放射線源、２００８…放射線撮像装置、２００９…ＲＩＳ、２０１０…ＰＡＣＳ、２５００…放射線撮影システム、３０００…撮影制御部、３００１…撮影プロトコル展開部、３００２…表示制御部、３００３…記録部、３００４…記憶領域。３００５…撮影プロトコル置換部、３００６…入力検出部、３００７…通信失敗検知部
【図１】
2016116777.tif 000003
【図２】
2016116777.tif 000004
【図３】
2016116777.tif 000005
【図４】
2016116777.tif 000006
【図５】
2016116777.tif 000007
【図６】
2016116777.tif 000008
【図７】
2016116777.tif 000009
【図８】
2016116777.tif 000010